(57)【要約】【課題】多角形の回転選別体に変形自在の掃除ロールを常時接当させ、外周に設けた通孔の目詰りを効率良く除去し、穀粒を分別する選別効果を高めた穀粒選別機の提供である。【解決手段】多角形の回転選別体６に接当して回転する掃除ロール１を設け、空気圧で膨張させて変形自在の構成にするとともに、　表面に植設したブラシ３を前記回転選別体６の外周面１０に圧接させて、通孔５に挟まった穀粒を内側に押出す目詰り除去装置の構成にしたものである。【選択図】　　　　　　図１
2004049979.tif 000002
【特許請求の範囲】
【請求項１】
外周に多数の通孔を形成した多角形の回転選別体を横設し、外周面に接当して回転する掃除ロールを並設した穀粒選別機において、掃除ロール（１）を空気圧で膨張させた弾性体にしたことを特徴とする穀粒選別機の目詰り除去装置。
【請求項２】
掃除ロール（１）を複数の空気室（２）に分割したことを特徴とする請求項１に記載した穀粒選別機の目詰り除去装置。
【請求項３】
掃除ロール（１）の表面にブラシ（３）を植立させ、回転選別体（６）の外周面（１０）に設けた通孔（５）に圧接させたことを特徴とする請求項２に記載した穀粒選別機の目詰り除去装置。
【請求項４】
複列に配置した回転選別体（６）にまたがり、外周面（１０）に常時接当する掃除ロール（１）を回転自在に設けたことを特徴とする請求項１に記載した穀粒選別機の目詰り除去装置。
【発明の詳細な説明】
【０００１】
【発明の属する技術分野】
本発明は、外周面に通孔を多数配設した多角形の回転選別体に掃除ロールを圧接して、目詰りを除去する穀粒選別機に関するものである。
【０００２】
【従来の技術】
従来、穀粒選別機の目詰りを防止するために、外周面に接当する掻き取り板や回転ブラシを設けたもの、更に、衝撃を与えて除去するもの等が多数知られているが、回転選別体の内側に壷孔を設けて底部を開口し、弾性材で成形した掃除ロールを圧接させて嵌着した穀粒を内側に押出し、目詰りを防止するものが特公昭５９−５０３９５号公報に開示され、掃除ロールの圧接面が変化しない円形の回転選別体に適合する詰り除去装置である。又、多角形の回転選別体に設けた通孔に穀粒が挟まったとき、選別筒内に押し戻す目詰り防止装置を二つ折りにした釣鐘状のゴム板で掻き取る構成にしたものが特公昭６３−３８２２６号公報に記載され、弾性体の先端を曲面にして多角形の稜線部を乗越え易くしたものや、掻き取り部を多重のゴム板に分散したり、ブラシ径を拡大して前記稜線部を順次乗越える構成にし、一気に圧接力が増大することを防止したものが実公昭５７−４０１３３号公報に記載されている。このような詰り除去装置は、稜線部の前後で持ち上がりと飛び越し現象が発生し、掻き取りをしない空間になることから通孔に挟まった穀粒を押出す作用面積が減少する。一方の回転ブラシにおいても、外周面が変動する多角形ではブラシの植立高さが長くなり、前記掃除ロールに接近する稜線部で屈折度が増大して通孔の表面にブラシを敷き込み、離反する辺部の通過では先端が容易に屈曲して掻き取り力が低下する問題点がある。
【０００３】
【発明が解決しようとする課題】
多角形の回転選別体に掃除ロールを常時接当させ、外周に設けた通孔に挟まった穀粒を効率良く除去し、穀粒を分別する選別効果を一層高めた目詰り除去装置の提供を目的とするものである。
【０００４】
【課題を解決するための手段】
掃除ロールを空気圧で膨張させて外周を変形自在に形成し、多角形の回転選別体に常時接当させ、通孔に挟まれた穀粒を押出す構成にしたものである。
【０００５】
外周に多数の通孔を形成した多角形の回転選別体を横設し、外周面に接当して回転する掃除ロールを並設した穀粒選別機において、掃除ロールを空気圧で膨張させた弾性体にし、多角形の外周面に常時接当させて挟まった穀粒を内側に押出す構成にした。
【０００６】
掃除ロールを複数の空気室に分割し、接当位置が変動する多角形の表面に対して圧接力が均等に作用する手段を講じた。
【０００７】
掃除ロールの表面にブラシを植立させ、回転選別体の外周面に設けた通孔に圧接させる構成にし、前記ブラシを通孔の開口幅と同等の高さにするショートブラシの構成にした。
【０００８】
掃除ロールを複数列の回転選別体にまたがって常時接当させて、回転自在に装着した構成。
【０００９】
【発明実施の形態】
【実施例】
本発明による多角形の回転選別体を装備した穀粒選別機において、穀粒の目詰りを変形自在の掃除ロールで除去する構造を図１の要部を断面した穀粒選別機の全体側面図と、図２に示す掃除ロール部を断面した正面図で説明すると、枠体７内に多角形の回転選別体６を供給ホッパー８側を高くして回転自在に架設し、外周面１０にスリット状の通孔５を多数穿孔して、供給された穀粒を下手側に回転移動をさせながら細粒を破線矢印に示すように漏下させ、下方に設けた左コンベア１７で矢印イの方向に移送して吐出口２０から機外に取出す。一方漏下しなかった整粒は回転選別体６の後方に移動して、終端に開口する太孔２１から仕上げ室２２に落下させ、前記左コンベア１７と同軸に設けた右コンベア２３で矢印ロの方向に移送して昇降機２５に受継ぎ、袋詰めや精米作業等の次工程に移行するものである。このような細粒の分別過程で前記通孔５に挟まった穀粒を除去するために、前記回転選別体６の外周面１０に接当する掃除ロール１を空気圧で膨張させて変形自在の構成にし、複列に配置した双方の回転選別体６に常時密着させて、一方に入力した回転を前記掃除ロール１を介して相手側に伝達し、等速回転をする穀粒選別機の構成にしたものである。
【００１０】
このように掃除ロール１を変形自在にするために、複数の空気室２をコンプレサーに接続した圧縮空気で膨張してあり、エアパイプ１１をロール軸１５の前方に密封装着したエアチャンバー１２と連結し、前記空気室２に圧縮空気を注入するノズル１４を軸端が開口するロール軸１５の中空部１３から分岐させ、ロールパイプ２６と内輪３０を貫通する導管１６を延設し、一定の空気圧で掃除ロール１の外形を円筒状に膨張させた弾性体にしてある。このような分室構造は、単体の掃除ロール１の場合に中央部が楕円形に膨出する変形を防ぎ、円筒に近い形状にすることによって、前記掃除ロール１の外形が多角形の回転選別体６の表面に密着する構成にしたものである。
【００１１】
複列の回転選別体に接当する掃除ロールの配置を図２の正面図と、図４に示す要部拡大図で説明すると、双方の回転選別体６ａ、６ｂ、の軸芯間に形成された谷間部３１に掃除ローラ１を回転自在に設置し、外周面１０に均等に接当させて多角形の辺部３２が通過する際は扁平形３５に変形し、稜線部３３の通過ではＶ字形３６に変化しながら掃除ロール１の表面が通過するようになっている。このような変形を繰返す前記掃除ロール１をゴム材等で成形し、空気圧で膨張させたことによって、従来技術である多角形の表面に接当するロングブラシ５１や、ゴム板３７に比べて前記外周面１０に対する密着度が向上して、目詰りの除去効果を高めた構成にしたものである。
【００１２】
図５は、従来のゴム板を用いた掻き取り装置の断面図であって、多角形の外周面１０に追随して回転変動する本発明の掃除ロール１と比較すると、前者のゴム板３７に六角形状の稜線部３３が近づくと接当部が持ち上がり、通過した直後の復元が遅れるために飛び越し現象が起こり、前記稜線部３３の前後に破線で図示する非作用軌道４０が発生して、穀粒の目詰りが除去されない空間が前記稜線部３３の数カ所に生じる。しかし、本発明による空気圧で膨張させた掃除ロール１では、辺部３２から稜線部３３に移行する回転をしても、空気室２が扁平形３５からＶ字形３６に変化し、回転選別体６の外周面１０に圧接力が常時作用して穀粒が挟まった全域を除去するようになり、細粒の選別効果を一層促進させた目詰り除去装置にしたものである。
【００１３】
図１の側面図と図２の掃除ロールを断面した正面図で駆動構造を説明すると、枠体７の側方に設けた電動モータ４１から主軸４２に固設した入力プーリ４３にＶベルト４５を捲回させて一方の回転選別体６ａを駆動し、複列に設けた他側の回転選別体６ｂに掃除ローラ１を圧接して同方向に回転を伝達するものである。又、図示の如くＶ字形３６と扁平形３５の変形を交互に作用させるために、同径のスプロケット４６にチェン４７を捲回して回転位置をずらし、稜線部３３の同時通過による掃除ロール１の圧縮を回避し、前記Ｖ字形３６の同時変形による空気圧の急変を緩和させたチェン駆動の事例を図示してある。
【００１４】
図４に示す掃除ロールの要部拡大図と図６ａに示す通孔の拡大平面図、並びに図６ｂに示す通孔上を通過するブラシの断面図で目詰りを除去するショートブラシの構成を説明すると、掃除ロール１の外周に植設するブラシ３の高さＨ１を斜設した通孔５の垂直長さＨ２と略同じ高さのブラシ３（仮称ショートブラシとする）にし、回転選別体６に接当した姿勢が前記通孔５を通過する際に起立できる短小の長さにしたものである。又、同一の図６ｂにロングブラシ５１の事例を図示してあり、前記垂直長さＨ２よりも長くなったブラシが通孔５にまたがり、外周面１０で傾倒されたまま敷き込まれ、挟まった穀粒を内側に押出す除去作用ができないブラシ構造と対比してあって、本発明のショートブラシは通孔５の部分で起立姿勢になり、挟まった穀粒を内側に押出す作用を助長して目詰りの除去効果を高めた構成にすることができた。
【００１５】
図３は、ロール軸の要部を断面した側面図であって、掃除ロールを円筒状に膨張させる圧縮空気の送給経路を説明すると、ロール軸１５の軸芯に中空部１３を設けて回転自在に支持するとともに、エアパイプ１１を接続したエアチャンバー１２を機枠７に螺着し、ベアリング５２の内側にエアシール５３を嵌着させ、外側からキャップ５５で密封したエアポケット５６を形成して前記中空部１３の先端を臨ませ、分割構造にした空気室２に圧縮空気を送給するノズル１４を前記ロール軸１５に溶着するとともに、ロールパイプ２６から突出する導管１６を嵌着し、前記空気室２の内輪３０から一定の空気圧を注入して掃除ロール１を変形自在に形成したものである。
【００１６】
図７と図８は別途の実施例を示したもので、分別した穀粒を一時貯留する収納タンクを備えた穀粒選別機の側面図と正面図であって、図７の下方にペダル部を投影した断面図を図示してある。このような実施例の構造は、回転選別体６に穿孔した通孔５を大粒、中粒、細粒が通過する大きさに区分し、これに対応した収納タンク大６０、中６１、小６２を下部に並設して分別した穀粒を貯留するとともに、漏斗状の底面に開閉シャッター６３を個別に設けて常時閉側に付勢し、ペダル大６５、中６６、小６７に連結させ、タンク内に貯留した穀粒を搬出コンベア７１と揚穀機７２によって計量タンク７３に移送し、定量を袋詰めする取出し装置にした穀粒選別機の別途実施例である。
【００１７】
収納タンク６０の底部に設けた開閉シャッター６３を作動させるペダル大６５、中６６、小６７に連結し、計量タンク７３の近傍に設置した多重構造のペダル軸７８にそれぞれ固着するとともに、入力部に設けたベルトクラッチ７５の「入」と「切」にもペダル操作を連動した構成にしてある。このような収納タンク大６０、中６１、小６２のなかから満充填になったタンクを選択して、前記開閉シャッター６３を矢印ヘの方向に開き、同時に回転を開始した搬送コンベア７１と揚穀機７２を経由して計量タンク７３に穀粒を取出す構成にした実施例である。尚、計量装置７７と揚穀機７２を前記収納タンク大６０、中６１、小６２の前面に各々対設し、個別に所定量を取出す組合せにして大型化した高流量の作業に適応させたり、搬送路に残粒した異種の分別穀粒が混入することを防止するために、各収納タンク毎に取出し装置を装備することも可能である。
【００１８】
【発明の効果】
掃除ロールを空気圧で膨張させて外周を変形自在にし、多角形の回転選別体に常時接当させ、通孔に挟まった穀粒を押出す目詰り除去装置にしたので、以下に掲げるような効果を発揮するものである。
【００１９】
多角形の回転選別体を横設し、外周面に接当して回転する掃除ロールを並設した穀粒選別機において、掃除ロールを空気圧で膨張させた弾性体にし、接当面を変形自在の構成にしたので、変動の大きい多角形の表面に密着するようになって押出し作用が広範囲に行え、通孔に挟まった穀粒を内側に落下させる除去効果が一層向上した。
【００２０】
掃除ロールを複数の空気室に分割したので、中央部分の膨らみが減少して前記掃除ロールの圧接力が外周面に均等に作用し、回転選別体の外周全面から目詰り穀粒が効率良く除去されて分別能力が向上した。
【００２１】
掃除ロールの表面にブラシを植立させ、回転選別体の外周面に設けた通孔に圧接させる構成にし、前記ブラシの高さを通孔の開口幅と同等の高さのショートブラシにしたので、通孔部で起立し易くなり挟まった穀粒の押出し力が増加して目詰りを除去する効果が高まった。
【００２２】
複列に配設した回転選別体にまたがり、双方の外周面に常時接当する掃除ロールを回転自在に設け、掃除ロールを複列の回転選別体に接当させた目詰り除去装置にしたので、単体の前記掃除ロールで双方の回転選別体に生じる目詰りを除去でき、しかも、掃除ロールが動力の伝達源になって隣接する前記回転選別体を回転させるので簡素化した駆動構造になった。
【図面の簡単な説明】
【図１】要部を断面した穀粒選別機の側面図である。
【図２】掃除ロールを断面した正面図である。
【図３】圧縮空気の経路を示すロール軸の断面図である。
【図４】掃除ロールの要部拡大図である。
【図５】ゴム板を用いた掻き取り装置の断面図である。
【図６】ａ　　通孔を拡大した平面図である。
ｂ　通孔に作用するブラシの断面図である。
【図７】収納タンクを備えた穀粒選別機の側面図である。
【図８】収納タンクを備えた穀粒選別機の正面図である。
【符号の説明】
Ｈ１・・ブラシの高さ　　Ｈ２・・通孔の垂直長さ
１・・掃除ロール　　　　２・・空気室　　　　　　３・・ブラシ
５・・通孔　　　　　　　６・・回転選別体　　　　８・・供給ホッパー
１１・・エアパイプ　　　１２・・エアチャンバー　１３・・中空部
１５・・ロール軸　　　　１６・・導管　　　　　　１７・・左コンベア
２０・・吐出口　　　　　２１・・太孔　　　　　　２３・・右コンベア
２５・・昇降機　　　　　２６・・ロールパイプ　　３２・・辺部
３３・・稜線部　　　　　３５・・扁平形　　　　　３６・・Ｖ字形
４０・・非作用軌道　　　４２・・主軸　　　　　　４７・・チェン
５３・・エアシール　　　６０・・収納タンク大　　６３・・開閉シャッター
６５・・ペダル大　　　　７１・・搬出コンベア　　７２・・揚穀機
７３・・計量タンク　　　７５・・ベルトクラッチ
矢印イ・・細粒の搬出方向　　　　　　矢印ロ・・大粒の搬出方向
矢印ハ・・掃除ロールの回転方向　　　矢印ニ・・回転選別体の回転方向
矢印ホ・・選別穀粒の移動方向　　　　矢印へ・・シャッターの引き方向
【図１】
2004049979.tif 000003
【図２】
2004049979.tif 000004
【図３】
2004049979.tif 000005
【図４】
2004049979.tif 000006
【図５】
2004049979.tif 000007
【図６】
2004049979.tif 000008
【図７】
2004049979.tif 000009
【図８】
2004049979.tif 000010